(57)【要約】      （修正有）【課題】今までにない新規な形態であって、優れた販促効果を発揮する缶用広告表示体を提供する。【解決手段】缶用広告表示体１０は、缶体Ｃの上蓋部を覆う広告表示紙１１と缶体の前面に垂下する広告表示紙１４と、当該双方の広告表示紙を繋ぐ狭幅の連結部に直交して連接し缶体の上縁部外周を覆う帯紙１２と、からなる紙製広告表示体であって、該帯紙１２は缶体に嵌め込みした際に巻締め部下縁に係止する複数の係止片１３を缶体の上蓋部を覆う広告表示紙１１側に向けて突出して有する。上蓋部を覆う広告表示紙１１は缶の上蓋部に納まる円形の板紙からなるようにすること、また、前記帯紙１２が缶体Ｃの胴面に対して下側に傘状に広がる傾斜角度をもって缶体の上縁部外周を覆うようにすることが好ましい。【選択図】図２
0003126416.tif 000002
【実用新案登録請求の範囲】
【請求項１】
缶体の上蓋部を覆う広告表示紙と缶体の前面に垂下する広告表示紙と、当該双方の広告表示紙を繋ぐ狭幅の連結部に直交して連接し缶体の上縁部外周を覆う帯紙と、からなる紙製広告表示体であって、該帯紙は缶体に嵌め込みした際に巻締め部下縁に係止する複数の係止片を缶体の上蓋部を覆う広告表示紙側に向けて突出して有することを特徴とする缶用広告表示体。
【請求項２】
前記上蓋部を覆う広告表示紙が缶の上蓋部に納まる円形の板紙からなることを特徴とする請求項１記載の缶用広告表示体。
【請求項３】
前記帯紙が缶体の胴面に対して下側に傘状に広がる傾斜角度をもって缶体の上縁部外周を覆うことを特徴とする請求項１記載の缶用広告表示体。
【考案の詳細な説明】
【技術分野】
【０００１】
本考案は、缶ビールや缶ジュースなどの飲料缶等の上蓋部に取り付け（嵌め込み）して使用される販促用の缶用広告表示体に関するものである。
【背景技術】
【０００２】
従来、缶ビールや缶ジュースなどの飲料缶は、例えば、新製品の販促を行うに際して缶自体に何らかの付加的な広告をしたり特典を付けたりするような場合、缶にはペットボトルの首部のような引っかける部分がなく、吊下タイプのラベルを引っかけるようなことができないことから、もっぱら缶の側面にシールを貼り付けることが行われている。
一方、ペットボトルなど首のある容器の場合は、その首に引っかけるタイプのラベルが種々知られている（特許文献１、特許文献２等）が、このタイプのラベルを首部のない飲料缶に適用することはできない。
【０００３】
そこで、缶ビールや缶ジュースなどの飲料缶に対する広告宣伝物の付加方法として、特許文献３、特許文献４、特許文献５等が提案されている。特許文献３は、缶の上蓋内に入れるラベルについて提案し、特許文献４は、缶の上蓋よりも大きなサイズのラベルを使用し、上蓋の外縁に係止させることを提案している。また、特許文献５は、缶の巻締め部に係止させる円弧部を設けることを提案している。
【０００４】
【特許文献１】特開２０００−３５５３１１号公報
【特許文献２】特開２００２−９１３０９号公報
【特許文献３】特開２００５−８４２９７号公報
【特許文献４】特開２００５−１０７４６９号公報
【特許文献５】実用新案登録第３０８９５０２号公報
【考案の開示】
【考案が解決しようとする課題】
【０００５】
しかし、上記の特許文献３〜特許文献５の缶用ラベルでは、上蓋部分に取り付けしても、荷扱いや店頭陳列販売の過程において、抜け落ちしたり破れ易く、十分な宣伝広告効果が得られない問題があった。また、缶側面や上蓋にシールを貼るという手段では手数がかかり、また店頭等においてあまり目立たず販促効果を上げることは難しい問題がある。
そこで、飲料業界にあっては、缶蓋部分に強固に取り付けが可能であって、十分な宣伝広告効果を発揮する缶用ラベルの出現が求められている。
【０００６】
本考案は、このような背景に鑑みてなされたものであり、その目的とするところは、缶体の上蓋部分に簡単に装着でき、しかも係止片を有するので脱落することがなく、優れた販促効果を発揮する缶用ラベルを提供することにある。
【課題を解決するための手段】
【０００７】
上記の目的を達成するため、本考案に係る缶用広告表示体は、缶体の上蓋部を覆う広告表示紙と缶体の前面に垂下する広告表示紙と、当該双方の広告表示紙を繋ぐ狭幅の連結部に直交して連接し缶体の上縁部外周を覆う帯紙と、からなる紙製広告表示体であって、該帯紙は缶体に嵌め込みした際に巻締め部下縁に係止する複数の係止片を缶体の上蓋部を覆う広告表示紙側に向けて突出して有することを特徴としている。
【０００８】
上記、缶用広告表示体において、前記上蓋部を覆う広告表示紙が缶の上蓋部に納まる円形の板紙からなるようにすれば、缶体の陳列や荷扱い時に破損等を招き難く好ましい。
また、前記帯紙が缶体の胴面に対して下側に広がる傘状の傾斜角度をもって缶体の上縁部外周を覆うようにすれば、上縁部外形に合わせた形状にできる。
【考案の効果】
【０００９】
請求項１の缶用広告表示体は、上蓋部の広告表示紙と前面に垂下した広告表示紙と２つの表示部分があるので、広告やキャンペーンの記載量を多くすることができる。また、上面からも側面からも目につき易く広告効果を高くすることができる。
さらに、缶の巻締め部下縁に係止する複数の係止片を有しているので、ワンタッチで簡単に缶に取り付けできる。また、店頭陳列販売や荷扱い時においても自然には外れない状態で取り付けすることができる。
【００１０】
請求項２の缶用広告表示体は、上記に加えて広告表示紙が上蓋部に納まる円形にされているので、店頭陳列販売や荷扱い時において破損等を招き難く、装着した状態で缶を積み上げることができる。
【００１１】
請求項３の缶用広告表示体は、前記帯紙が缶体の胴面に対して下側に傘状に広がる傾斜角度をもって缶体の上縁部外周を覆うようにされているので、通常、上縁部外周が胴部より縮小した形状にされている缶体に対して見栄えよい外観を形成することができる。
【考案を実施するための最良の形態】
【００１２】
図１は、本考案に係る缶用広告表示体を示す斜視図、図２、図３は、本考案の缶用広告表示体の使用例を示す斜視図、図４は、缶用広告表示体のブランク板を示す図、図５は、同ブランク板の組み立て図、である。
【００１３】
図１は、本考案に係る缶用広告表示体を示す斜視図である。図１の缶用広告表示体１０は、印刷済みの板紙を打ち抜いて作製された一枚のブランク板から組み立てられるもので、上蓋部を覆う広告表示紙１１は、他の形状でもよいが通常円形にされている。
広告表示紙１１のサイズは取り付けるべき缶体Ｃ（図３参照）における上蓋部Ｃａの外径と同等の大きさ、あるいは巻締め部の内側に納まるサイズになっている。
ビール缶等の場合、缶の胴部の直径よりも上蓋部Ｃａの直径はやや小さくされ、缶底の糸尻の直径はなお小さく、上蓋部Ｃａの中に糸尻が納まるようにされている。縦に積み立て易くするためと考えられるが、この胴径（胴の最大径）がつくる面積よりも広告表示紙１１が過度に大きい場合は、缶体Ｃを密接して立てた場合に隣接した缶に接触して広告表示紙１１が変形してしまうことが多くなるからである。積み立てを考慮する場合は、巻締め部Ｃｍの内側に納まるサイズにするのが好ましい。
【００１４】
広告表示紙１１は、缶体の前面に垂下する広告表示紙１４と狭幅の連結部１５により連結している。缶体の上縁部外周を覆う帯紙１２はこの連結部１５に直交するようにして接続している。帯紙１２は、缶体の胴面に対して下側に広がる傘状の傾斜角度をもって缶体の上縁部外周を覆うようにされている。缶体Ｃは上縁部外周で上側に窄まる形状にされていることが多く、その形状に沿う傾斜角度か、または下辺がより開いた角度になるようにされる。帯紙１２は、缶体Ｃの巻き締め部Ｃｍに係止する突起状の係止片１３を複数有している。図１の場合は、係止片１３を４片有しているが、この形状や数は任意に調製できる。この係止片１３により、缶用広告表示体１０を缶体Ｃに嵌め込みした際に、缶体Ｃの上端の巻締め部Ｃｍの下縁に係止するので、缶用広告表示体１０を固定できる。
前面に垂下する広告表示紙１４の形状は特に限定されないが、図１のように、矩形状等としてよい。この組み立て構造の詳細については後述する。
【００１５】
アルミ製のビール缶の場合、２５０ｍｌ、３５０ｍｌ、５００ｍｌ缶では、上蓋部外径が５９．２ｍｍ、内径が５６．２ｍｍ程度、胴部直径が６６ｍｍ程度となり、胴部よりも上蓋部直径がやや小さくされている。缶底の糸尻の外径は５４ｍｍ程度となる。
なお、１３５ｍｌ缶では上蓋部外径が５１ｍｍ程度、胴部直径が５３ｍｍ程度となっている。ジュース缶等のスチール缶では、直径５３ｍｍ程度の直円筒状やビール缶と同様に上蓋部が小さくされているもの等がある。
【００１６】
図２、図３は、本考案の缶用広告表示体の使用例を示す斜視図である。図２（Ａ）のように、組み立てした缶用広告表示体１０を缶体Ｃに対して嵌め込みすると、図２（Ｂ）のように、広告表示紙１１がプルトップ部Ｃｐ等の上蓋部Ｃａを隠蔽し、広告表示紙１４が缶体Ｃの前面に垂下する状態になる。帯紙１２の上側に突出した係止片１３が、巻締め部Ｃｍの下縁に係止して缶用広告表示体１０を缶体Ｃに簡単に固定できる。
ただし、広告表示紙１４は帯紙１２の切り欠き１６部分から折り返して上方に立てた状態で使用してもよいものである。図３は、そのような使用状態を示している。
このように取り付けられた缶用広告表示体１０は、帯紙１２部分を把持して持ち上げても外れたり破損することはない。また、缶用広告表示体１０を取り付けた状態でも缶体Ｃを重ね積みできる。
【００１７】
図４は、缶用広告表示体のブランク板を示す図、図５は、同ブランク板の組み立て図、である。なお、ブランク板とは印刷紙を打ち抜いて作製された一枚ものの板紙をいう。
缶用広告表示体１０のブランク板は、上蓋部Ｃａを覆う広告表示紙１１と缶体の前面に垂下する広告表示紙１４が狭幅の連結部１５に、円弧状に伸びた帯紙１２が直交して交差する状態で接続して打ち抜きされる。帯紙１２が円弧状になるのは、缶体Ｃに対して傘状の傾斜面が形成されるためである。広告表示紙１１は、例えば直径５７ｍｍの円形等にできるが、形状は前記のように多角形状であってもよい。前面の広告表示紙１４は缶体Ｃの大きさ（長さ）によって適宜に調製できる。切り欠き１６は、前面の広告表示紙１４を上方に立てて使用する場合に折り曲げし易くするためのものである。
【００１８】
帯紙１２は、両端部を重ねて接着し傘状の傾斜面を有するリング形状にして使用するものである。ビール缶では上縁外周が窄まる形状にされているが、傘の傾斜が当該外周の傾斜角度に大体一致するようにしてもよい。また、当該リングの上部側の直径が、缶体上縁外周に丁度嵌め込みできる大きさにする。例えば、帯紙１２の幅ｈ１は、１５ｍ〜２０ｍｍ程度とし、長さは上縁外周よりは１５ｍｍ〜２０ｍｍ程度長くして、両端部間を接着できる余地を残すようにする。帯紙１２の広告表示紙１１側には、複数の突起状の係止片１３を有している。図４の場合、４つの片であるが数はもっと多くても構わない。
【００１９】
ブランク板を組み立てする場合は、図５（Ａ）のように帯紙１２の両端間を接着した後、広告表示紙１１を内側に折り曲げて使用する。係止片１３は、折り曲げしないで、そのままの状態で使用する。これにより、缶用広告表示体１０が完成する（図５（Ｂ））。
用紙には上質紙や板紙を使用でき耐水性を持たせたものでもよい。缶の積み立て性等から余り厚くなくてもよく、８０〜２００ｇ／ｍ2 程度のものが適当と考えられる。
【実施例】
【００２０】
印刷工程において、坪量１２０ｇ／ｍ2 の板紙（三菱製紙株式会社製「耐水紙」）の表面に多面付けにより絵柄を多色印刷した。絵柄は、ビールの新製品キャンペーン等のものとした。次に、打ち抜き工程において、図４のブランク板の形状に打ち抜きした。
なお、上蓋部を覆う広告表示紙１１は直径５７ｍｍの円形とし、前面に垂下する広告表示紙１４は４８ｍｍ×４８ｍｍの正方形状とした。また、帯紙１２は幅１５ｍｍの円弧状になるようにし、帯紙の内側が曲率半径１３０ｍｍ程度の円弧を描くようにし、その長さが缶の上蓋巻き締め部直下の円周１８０ｍｍに糊付け部分１５ｍｍを付加する長さになるようにした。係止片１３の高さを３ｍｍ、幅を８ｍｍとし、４片設けた。
打ち抜き後、帯紙１２の両端を糊付け部分により接着して、傘状のリングを形成して、本考案の缶用広告表示体１０を完成した。
【産業上の利用可能性】
【００２１】
上記した本考案の缶用広告表示体１０は、上質紙や板紙製として低コスト、環境対応とすることができる。或いは、樹脂系の材料で作製するなど、必要に応じて耐水性を持たせることもできる。さらには、マットコート紙を用いてインクジェット印刷を可能にすることもできる。広告表示紙１１または１４の表面や裏面にスクラッチ印刷による籤を設けたり、ポイント券を印刷することもできる。
【００２２】
本考案の缶用広告表示体は、一般に用いられているプルトップ型のアルミ缶、スチール缶の何れにも対応することができる。そして、缶ビールや缶ジュースなどの飲料缶に販促用として取り付けて使用するのが好適である。
【図面の簡単な説明】
【００２３】
【図１】本考案に係る缶用広告表示体を示す斜視図である。
【図２】缶用広告表示体の使用例を示す斜視図である。
【図３】缶用広告表示体の使用例を示す斜視図である。
【図４】缶用広告表示体のブランク板を示す図である。
【図５】同ブランク板の組み立て図である。
【符号の説明】
【００２４】
１０  缶用広告表示体
１１  上蓋部を覆う広告表示紙
１２  帯紙
１３  係止片
１４  前面に垂下する広告表示紙
１５  連結部
１６  切り欠き
Ｃ    缶体
Ｃａ  上蓋部
Ｃｐ  プルトップ部
Ｃｍ  巻締め部
【図１】
0003126416.tif 000003
【図２】
0003126416.tif 000004
【図３】
0003126416.tif 000005
【図４】
0003126416.tif 000006
【図５】
0003126416.tif 000007